Podtech/llm-jp-corpus-v4-ja_patent huggingface dataset:
(57)【要約】      （修正有）【課題】コーヒーをワンタッチでおいしく飲む方法の提供。【解決手段】コーヒーカップの中にコーヒー豆を荒挽きしポリエステル或いはポリエチレンの袋に詰めたものと沸騰した湯を入れる。【効果】簡単にできる便利な方法であり、かつ、コーヒーをおいしく飲むことができる。【選択図】なし【特許請求の範囲】
【請求項１】
コーヒをワンタッチでおいしく飲む方法
【発明の詳細な説明】
技術分野
０００１
本発明はコーヒをワンタッチで美味しく飲む方法です。
背景技術
０００２
コーヒカップの中に豆をひいた袋はない。
発明の開示
０００３
これは次のような事でカンタンに出き便利な物である。
コーヒ豆を、アラビキした物を（ポリエステル、ポリエチレン）袋の中にアラビキしたコーヒを入れ、コーヒカップの中に沸とうした湯を入れる
又はコーヒポットの中にも入れる事が出きます。
課題を解決する為の手段
０００４
コーヒカップの中に、コーヒ豆のアラビキを袋に入れて飲む事である。
発明の効果
０００５
コーヒカップの中に、アラビキした、コーヒ豆袋、入れてワンタッチで出きる事です。
早く出きます。
０００６  発明を実施する為の最良の形態
コーヒカップ〔１〕、の中に沸とうした湯を入れる。〔２〕、カップの中にアラビキコーヒ袋を入れる事〔３〕このようなことでインスラントではない、コーヒをワンタッチで飲める事が出きます〔４〕コーヒ豆をアラビキして袋に入れる事〔５〕１２０ｃｃｇに、沸とうした湯をアラビキコーヒ袋１３ｇ〜１５ｇ入れる。
2006180861.tif 000002
【手続補正書】
【提出日】平成17年4月1日(2005.4.1)
【手続補正１】
【補正対象書類名】明細書
【補正対象項目名】全文
【補正方法】変更
【補正の内容】
【発明の詳細な説明】
【技術分野】
【０００１】  本発明はコーヒーをワンタッチで美味しく飲む方法である。
【背影技術】
【０００２】  従来サイホンでコーヒーをわかすものがあるが荒挽を袋に入れたものはなかった。
【発明の開示】
【発明が解決しようとする課題】
【０００３】  これは次のような問題点があった。従来はサイホンでわかしたりインスタントコーヒーを使用していたが、サイホンは時間がかかり又、インスタントでは美味しい味が出なかった。これをコーヒー豆を荒挽した物をポリエチレン、ポリエステルの袋の中に荒挽したコーヒーを入れ、コーヒーカップの中に沸騰した湯を入れることも出来、又はコーヒーポットの中にも入れる事が出来る。本発明は以上のような欠点をなくする為なされたものである。
【課題を解決する為の手段】
【０００４】  コーヒーカップの中に荒挽を袋に入れ、お湯をそそぎサイフォンでわかした同様のものが味わえる。
【発明の効果】
【０００５】  コーヒーカップの中に荒挽したコーヒーを豆袋に入れて、ワンタッチで出来上がるものである。
【発明を実施する為の最良の形態】
【０００６】  以下本発明の実施例について説明する。
荒挽豆１、の入ったポリエチレン又はポリエステル袋２、コーヒーカップ３、に入れて熱湯４、をそそぐ、又はポット５、にも同じく熱湯をそそぐことも出来る。
【図面の簡単な説明】
【０００７】
【図１】本発明の正面図である。
【図２】本発明の斜視図である。
【図３】本発明の側面図である。
【符号の説明】
【０００８】１、荒挽豆
２、ポリエチレン、ポリエステルの袋
３、コーヒーカップ
４、熱湯
５、ポット
【手続補正２】
【補正対象書類名】図面
【補正対象項目名】全図
【補正方法】変更
【補正の内容】
【図１】
2006180861.tif 000003
【図２】
2006180861.tif 000004
【図３】
2006180861.tif 000005
(57)【要約】【課題】  植木の枝振りを良くするため、枝を紐で引っ張って固定している紐が、日にちの経過により紐が緩んでくる場合があり、修正に紐を引き直しており、紐を引き直すので時間が掛かっている。そこで紐を引き直すことなく紐の長さ調節をして修正を容易にしょうとするものです。【解決手段】  軸（１）の両側にガイド（２）を持ち、ガイド（２）に溝Ａ（３）と溝Ｂ（４）を持った構造の紐長さ調節具を用いる。紐長さ調節具を枝を引っ張っている紐の中間に取付、紐の長さを調節する。このことにより紐を引き直すことなく紐の長さを調節して修正することが出来る。【選択図】  図１
2006180854.tif 000002
【特許請求の範囲】
【請求項１】
軸（１）の両側にガイド（２）を持ち、ガイド（２）に溝Ａ（３）と溝Ｂ（４）を持った紐長さ調節具。
【発明の詳細な説明】
【技術分野】
【０００１】  植木の枝振りを良くするため、枝をシュロ縄等の紐で所定の方向に引っ張って固定する場合があるが、日にちの経過により紐が緩んでくる場合があり、その場合の紐の長さを調節する調節具に関するものです。
【背景技術】
【０００２】  植木の枝振りを良くするため、枝を紐で所定の方向に引っ張って固定する場合があるが、日にちの経過により結び目の緩み等により紐の有効長さが長く成り、技の位置が変わる場合がある。その場合紐の長さを修正するために紐を引き直しており、紐を引き直すために時間が掛かっている。
【発明が解決しようとする課題】
【０００３】  背景技術で述べたように、植木の枝振りを良くするため、枝を紐で引っ張って固定する場合、日にちの経過により紐が緩んでくる場合があり、修正するのに紐を引き直しており、紐を引き直すために時間が掛かっている。そこで紐を引き直すことなく紐の長さを調節をして修正を容易にしょうとするものです。
【課題を解決するための手段】
【０００４】  紐が緩んだ場合、紐に紐長さ調節具を付けて紐の長さを調節し、枝を所定の位置に修正する。
そこで紐長さ調節具の構造を説明すると。
イ．軸（１）の両側にガイド（２）を持ち、ガイド（２）に溝Ａ（３）と溝Ｂ（４）を持つ構造です。
ロ．枝を引っ張っている紐の長さを調節するには、紐長さ調節具を紐の中間に付けて、軸（１）に紐を巻き付け紐の長さを調節して枝を所定の位置にする。
ハ．紐長さ調節後は紐の一方を溝Ａ（３）に通し、もう一方を溝Ｂ（４）に通し、紐を固定する。
ニ．紐長さ調節具は、紐を溝Ａ（３）及び溝Ｂ（４）でガイドすることにより、紐の前後の張力により保持され紐に固定される。
ニ．このことにより、紐の緩みを紐を引き直すことなく修正出来る。
【発明の効果】
【０００５】  イ．紐長さ調節具により植木の枝を引っ張っている紐の緩みの修正が容易に出来る。
ロ．植木の枝を引っ張った状態で紐に紐長さ調節具を後付出来るので取付が容易であり、枝の位置修正が容易に出来る。
【発明を実施するための最良の形態】
【０００６】  紐長さ調節具を説明すると。
イ．植木の枝を引っ張っている紐の中間に紐長さ調節具を付け、軸（１）に紐を巻き付けて植木の枝が所定の位置に成るよう紐の長さを調節する。
ロ．紐長さ調節後は紐の一方を溝Ａ（３）に通し、もう一方を溝Ｂ（４）に通し、紐を固定する。
ハ．紐長さ調節具は、紐を溝Ａ（３）及び溝Ｂ（４）でガイドすることにより、紐の前後の張力により保持され紐に固定される。
ニ．紐長さ調節具により紐の長さ調節出来、紐の緩みによる枝の位置ズレを、紐を引き直すことなく容易に修正する事が出来る。
ホ．紐長さ調節其は紐の前後の張力により紐に固定されるが、紐により強く固定するために、溝Ａ（３）及び溝Ｂ（４）の溝巾を紐の外径より少し小さく作り、摩擦により固定を強くする。
【図面の簡単な説明】
【０００７】
【図１】紐長さ調節具の斜視図
【図２】紐長さ調節具の平面図
【図３】紐長さ調節具の側面図
【図４】紐長さ調節具を紐に取り付けた平面図
【符号の説明】
【０００８】  １  軸
２  ガイド
３  溝Ａ
４  溝Ｂ
５  紐
【図１】
2006180854.tif 000003
【図２】
2006180854.tif 000004
【図３】
2006180854.tif 000005
【図４】
2006180854.tif 000006
(57)【要約】      （修正有）【課題】ハイスピードノズルを使用した、高濃度高粘度グァバ果汁製品の製造方法を提供する。【解決手段】グァバ果汁にキダチアロエを加えて収斂作用を緩和する。従来のプレート式熱交換機、フィリングノズルでは、高濃度高粘度果汁（グァバ飲料等）の製造は困難であったが、高濃度高粘度飲料のプレート内での目詰まり、熱による品質の劣化、充填時における多量のエアーの混入による内容量不足の問題を解決し高濃度高粘度の果汁飲料の生産を可能した。【選択図】  図１
2006180856.tif 000002
【特許請求の範囲】
【請求項１】
グァバ果汁含有のポリフェノールの血糖降下作用を生かすために５０％以上の高濃度果汁とし、味覚調整にはアセスルファムカリウム、ステビアサイド、その他のノンカロリーを使用することで血糖値上昇要因を排除する。グァバ果汁による収斂作用を緩和するためにキダチアロエの搾り汁を加える。さらに植物繊維を加えて血糖降下作用を強化して、５０％以上の高濃度高粘度グァバ果汁製品の製造方法確立した。
【請求項２】
５０％以上の高濃度高粘度グァバ果汁の所定量の充填を可能にするために、圧縮弁を取り付けたハイスピードノーズルを使用する。
【発明の詳細な説明】
【技術分野】
【０００１】本発明は高濃度高粘度グァバ果汁飲料の製造を可能にする。
【背景技術】グァバ果実は沖縄県では昔から血糖値を下げる効果のある果実として可食されてきた。本件はグァバ果実を５０％以上の高濃度高粘度を維持しながら加工飲料として製品開発した。
【発明の開示】
【発明が解決しようとする課題】
【０００２】グァバ果汁の効果を生かすためには果汁の高濃度果汁飲料とすべきだが、粘度が高いため安定的な生産が難しい。本発明はグァバ果汁の効果を生かした高濃度高粘度飲料を生産可能にする。
【課題を解決するための手段】
【０００３】６０％グァバ果汁飲料を９３℃３０秒で殺菌して微生物の発生を防止する。【０００４】６０％グァバ果汁飲料をペットボトル容器に詰めて所定量に充填する。
【発明の効果】
【０００５】６０％グァバ果汁飲料の高濃度高粘度製品をペットボトル容器に充填して製造可能とした。【０００６】６０％グァバ果汁飲料の高濃度高粘度製品をプレート式熱交換機での殺菌を可能とした。【０００７】６０％グァバ果汁飲料の高濃度高粘度製品をハイスピードノーズル使用で充填可能とした。
【発明を実施するための最良の形態】
【０００８】グァバピューレ、キダチアロエ、シークワサー果汁、香料、ビタミンＣ、甘味料、植物繊維、に水を加えて機能性・栄養性ある６０％高濃度高粘度グァバ果汁飲料の開発を可能とした。【０００９】フリーフロープレートＦＦＮ４０型プレート使用して果汁の繊維質・パルプと言った固形物堆積を防止しプレート式熱交換機で殺菌を可能とした【００１０】６０％高濃度高粘度グァバ果汁の所定量の充填を可能するため、圧縮弁を取り付けたハイスピードノーズルを使用した。
【図面の簡単な説明】
【００１１】
【図１】本発明の製造工程フローシート図
【図２】本発明の製造工程フローシート図
【図３】ハイスピードノズル作動説明図
【図４】ハイスピードノズル構造図
【図５】ハイスピードノズル作動図
【図１】
2006180856.tif 000003
【図２】
2006180856.tif 000004
【図３】
2006180856.tif 000005
【図４】
2006180856.tif 000006
【図５】
2006180856.tif 000007
(57)【要約】【課題】  釣糸付き釣糸を使用後、釣針や釣糸がからまないよう巻き取り、再使用時も、簡単に釣糸がはずせ、収納時にも他の道具にもからまないよう、カバーをつけ、カバーが復数枚になったら、バインダーに、ファイルして収納できる釣針付き釣糸収納用具を提供する。【解決手段】  釣針付き釣糸を、溝付きのゴム磁石板に巻き取り、着脱可能なカバーに収納し、再使用時に針と糸をはずし易く、さらに他の道具とのからまりをなくしたことを特徴とする。【選択図】  図１
2006180858.tif 000002
【特許請求の範囲】
【請求項１】
釣針付き釣糸を、溝付きのゴム磁石板に巻き取り、着脱可能なカバーに収納し、再使用時に針と糸をはずし易く、さらに他の道具とのからまりをなくした釣針付き釣糸収納用具。
【請求項２】
ゴム磁石板を硬質スポンジにした請求項１の釣針付き釣糸収納用具。
【発明の詳細な説明】
【技術分野】
【０００１】  本発明は、釣針付き釣糸（以下仕掛という）を使用後、釣針や釣糸がからまないよう巻き取り、再使用時も、簡単に釣糸がはずせ、収納時にも、他の道具にからまず、カバーが複数になったら、整理しやすいように、ファイルできるように工夫した釣針付き釣糸収納用具に関するものである。
【背景技術】
【０００２】  従来、釣りを終えた後、仕掛の後始末は、既存の竹製の糸巻きとかダンボールを切って、巻きつけて収納していた。
【発明の開示】
【発明が解決しようとする課題】
【０００３】  そのために、次のような問題点があった。
竹製の糸巻やダンボールでは、複数の針が固定されず、再使用時に針同士がからまりやすく、カバーがないため、他の仕掛とのからまりが頻繁に発生したため、ほどくのに、時間がかかり、ほとんどの場合、使い捨て状態であった。
また、竹製のものは、復数針がついた仕掛は収納困難のうえ、きつく、巻かなくてはならないため、釣糸に折れが生じ、余計にからまりやすくなってしまう。
本発明は以上の問題点を解決するためになされたものである。
【課題を解決するための手段】
【０００４】  仕掛を溝のついたゴム磁石板に巻き取り、着脱可能なカバーに収納する。
そうすることで、再使用時に、針と糸が、はずし易く、他の道具とのからまりがなく整理できる。
【発明の効果】
【０００５】  本発明は、釣り終えた後の仕掛を、簡単に巻き取り、再使用時に簡単に取りはずせる。
他の仕掛ともからまないよう、着脱可能なカバーをつけ、カバーが復数枚になれば、整理しやすいように、ファイルできるようにしたものである。
ゴム磁石板を使うことによって、釣針の固定ができ、糸のからまりもなくなる。
また、硬質スポンジに釣針の先をひっかけると、同様の効果がある。
【発明を実施するための最良の形態】
【０００６】  以下、本発明の実施形態を説明する。
（イ）長方形のゴム磁石板（１）の上部と下部の縁に、山形状の溝（２）を複数個設け、    それぞれに切り込み（８）を設ける。
（ロ）ゴム磁石板（１）の一側部に内方向に向って、等間隔に切り込み（５）を設ける。
（ハ）ゴム磁石板（１）のもう一方の側部に凸溝（１３）を設ける。
（ニ）透明体で二つ折りできるカバー（３）の両側部に、スナップ（４）と穴（６）を設    ける。
（ホ）カバーを二つ折りした、中心線の所に凹溝（１２）を設ける。
本発明は以上の講成によりなっている。
本発明を使用するときは、釣糸（９）の先端を溝の切り込み（８）にはめて、溝（２）にそって、順番に釣糸（９）を巻き取る。
釣糸（９）の端を切り込み（５）にはめて、釣糸（９）がはずれないようにする。
釣針（１０）は、ゴム磁石板（１）に上から押さえて固定する。
巻き取ったゴム磁石板（１）の凸溝（１３）を、カバーの凹溝（１２）にはめ込みスナップ（４）でとめる。
本発明については、さらに次のように発展させることができる。
図４に示すように、複数の仕掛をカバー（３）の穴（６）をバインダーリング（７）に通してファイルし、バインダー（１１）で覆う。
そうすると持ち運びも簡単で、複数の仕掛を保有することができる。
なおバインダー（１１）は特に透明性材料を用いなくてもよい。
なお、スナップ（４）はゴム磁石板（３）を覆うときに使用するものである。
なお、前述したゴム磁石板（１）を硬質スポンジにしても同様の効果を生じることができる。
【図面の簡単な説明】
【０００７】
【図１】  本発明の斜視図である。
【図２】  本発明の分解斜視図である。
【図３】  本発明の使用状態を示した斜視図である。
【図４】  本発明のバインダーにファイルしたときの斜視図である。
【符合の説明】
【０００８】１  ゴム磁石板
２  溝
３  カバー
４  スナップ
５  切り込み
６  穴
７  バインダーリング
８  溝の切り込み
９  釣糸
１０  釣針
１１  バインダー
１２  カバーの凹溝
１３  ゴム磁石板の凸溝
【図１】
2006180858.tif 000003
【図２】
2006180858.tif 000004
【図３】
2006180858.tif 000005
【図４】
2006180858.tif 000006
(57)【要約】【課題】  本発明は犬の散歩の時に出る便を手形状にした紙袋とポリ袋を２重にした袋に便を取るための袋である。また紙袋の１部とポリ袋を貼り付け、さらにポリ袋の入り口の手の甲部分に段違いのベロ部を設ける事で便が非常にとりやすくした袋に関するものである。通常は紙袋とポリ袋が２重に重ねて入れてあるだけである。【解決手段】内部に手を入れる大きさを有する手形状の紙製よりなる外袋の内側に外袋よりやや小さくした手形状のポロプロピレンからなる内袋を設け、内袋の甲の外側の一部に外袋の内側と着脱させる粘着部を設ける。以上よりなる犬の便取り袋。【選択図】図１
2006180859.tif 000002
【特許請求の範囲】
【請求項１】
内部に手を入れる大きさを有する手形状の紙製よりなる外袋の内側に外袋よりやや小さくした手形状のポロプロピレンからなる内袋を設け、内袋の開口部は甲側に突出したベロ部を設け、内袋の甲の外側の一部に外袋の内側と着脱させる粘着部を設ける。以上よりなる犬の便取り袋。
【発明の詳細な説明】
【技術分野】
【０００１】  本発明は、イヌの散歩の時出る便を手形状にした紙袋とポリ袋を２重にして便を取る為の袋である。また紙袋の１部を手の甲部分にポリ袋を貼り付け、さらにポリ袋の入り口に段違いのベロ部を設ける事で便が、非常に取りやすくした袋に関するものである。
【背景技術】
【０００２】  従来の犬の便取り袋はただ紙袋とポリ袋を２重に重ねただけの袋である。
【発明の開示】
【発明が解決しようとする課題】
【０００３】  それには次のような問題点があった。
ポリ袋の中に手を入れようとする時、上に重なっている外袋がすぐ抜け落ちたり、風で飛んでしまったりする。
またポリ袋の中に手を入れようとしても袋が、くっついていて手がなかなか袋に入りにくい。特に雨降りのときなどは手に傘を持っているので非常に不便である。
また長方形の袋だと手に入れた時、袋が大きすぎると外袋がずり落ちてしまう。
本発明は、以上の問題点を解決し簡単に便を取ることが出来るようになされたものである。
【課題を解決するための手段】
【０００４】  内部に手を入れる大きさを有する手形状の紙製よりなる外袋の内側に外袋よりやや小さくした手形状のポロプロピレンからなる内袋を設け、内袋の開口部は甲側に突出したベロ部を設け、内袋の甲の外側の一部に外袋の内側と着脱させる粘着部を設ける。以上よりなる犬の便取り袋。
本発明は、以上の構成により、手が内袋の中に簡単に入り、また上の外袋が風などで飛ばされることがなくなった袋である。
【発明の効果】
【０００５】  ポリ袋に手を入れる時、手が入りやすく、また紙袋の１部を貼り付ける事により、紙袋だけが風などで飛んだりすることがなくなり、またポリ袋を手型用にしたことで、便がとてもとり易くなった。
【発明を実施するための最良の形態】
【０００６】    以下、本発明の実施の形態について説明する。
イ、  内部に手を入れる大きさを有する手形状の紙製よりなる外袋（１）の内側に外袋（１）よりやや小さくした手形状のポロプロピレンからなる内袋（２）を設ける。
ロ、  内袋（２）の開口部（４）は甲側に突出したベロ部（３）を設ける。
ハ、  内袋（２）の甲の外側の一部に外袋（１）の内側と着脱させる粘着部（５）を設ける。
本発明は以上の構成よりなり使用するときは、ポロプロピレンの内袋（２）に手を差し込む。このとき、内袋（２）の開口部（４）にベロ部（３）があるので、手（６）が入りやすい。
また、粘着部（５）で外袋（１）と内袋（２）が粘着されているので、外袋（１）が内袋（２）から離れることがない。
本発明で犬の便（７）をつかんだ後、本体を反転させると、便（７）は外袋（１）に入った状態で、ポリプロピレンの内袋（２）が表面になり、そのまま持ち帰り、便を入れた紙製の外袋（１）だけを家庭の水洗便所やゴミに出すことができる。
【図面の簡単な説明】
【０００７】
【図１】本発明の正面図
【図２】本発明の断面図
【図３】本発明の使用状態を示す正面図
【符号の説明】
【０００８】１外袋（紙袋）
２内袋（ポロプロピレン）
３ベ口部
４開ロ部
５粘着部
６手
７便
【図１】
2006180859.tif 000003
【図２】
2006180859.tif 000004
【図３】
2006180859.tif 000005
(57)【要約】      （修正有）【課題】看護師が操作、表示を手元で行えるナースコールシステムを提供する。【解決手段】ナースコール親機に携帯型コンピュータ本体を脱着自在に保持する保持手段を設け、ナースコール親機と携帯型コンピュータはお互いに通信を行う為のインターフェースを設け、この有線または無線のインターフェースを介してナースコール親機から送られてくる表示情報を携帯型コンピュータで表示したり、ナースコール親機に対して携帯型コンピュータからデータを入力可能とする。【選択図】図２
2006180993.tif 000002
【特許請求の範囲】
【請求項１】
ナースコール親機に携帯型コンピュータ本体を脱着自在に保持する保持手段を設けるとともに、前記ナースコール親機と前記携帯型コンピュータはお互いに通信を行う為のインターフェースを夫々有し、前記インターフェースを介してナースコール親機から送られてくる表示情報を前記携帯型コンピュータで表示するとともに、前記ナースコール親機に対して前記インターフェースを介して前記携帯型コンピュータからデータを入力可能としたことを特徴とするナースコールシステム。
【発明の詳細な説明】
【技術分野】
【０００１】
本発明はナースコールに関する。
【背景技術】
【０００２】
ナースコールシステムは、単に看護師を呼ぶだけでなく付加機能を有するようになっている。  付加機能の追加に伴い、データ入力、表示事項が煩雑になり、新たなユーザーインターフェースが考え出されるようになった。開示した特許文献ではナースコール親機にタッチパネルを有したＬＣＤを設けることが提案されている。
【特許文献１】特開２００４−３０４５５２  公報
【発明の開示】
【発明が解決しようとする課題】
【０００３】
ところで、看護師が従来のナースコール親機にデータを入力する作業を考えると、腕を持ち上げ気味に入力作業を行う必要がある。  この姿勢では腕及び肩に負担がかかり健康上の問題がる。  そこで本発明は操作、表示を手元で行えるようにすることを目的とする。    
【課題を解決するための手段】
【０００４】
ナースコール親機に携帯型コンピュータ本体を脱着自在に保持する保持手段を設けるとともに、前記ナースコール親機と前記携帯型コンピュータはお互いに通信を行う為のインターフェースを夫々有し、前記インターフェースを介してナースコール親機から送られてくる表示情報を前記携帯型コンピュータで表示するとともに、前記ナースコール親機に対して前記インターフェースを介して前記携帯型コンピュータからデータを入力可能とする。
なお、携帯型コンピュータはノートパソコンやＰＤＡ（ｐｅｒｓｏｎａｌ  ｄｉｇｉｔａｌ  ａｓｓｉｓｔａｎｃｅ）と呼ばれる携帯可能なコンピュータである。
また、インターフェースは有線でも無線でもよい。
【発明の効果】
【０００５】
本発明によれば、看護師が作業を行う際に、操作、表示手段である携帯型コンピュータをナースコール親機から外し、手元にて操作可能であるから、快適な作業環境を提供できる。  
【発明を実施するための最良の形態】
【０００６】
図１は本発明に係るナースコールシステムである。図２は本発明に係るナースコール親機である。親機には携帯型コンピュータ本体を脱着自在に保持する保持手段が設けてある。携帯型コンピュータを用いないとき、又は外す必要の無いときに、携帯型コンピュータを保持手段に装着する。保持手段には携帯型コンピュータを充電する充電機能を有するようにしてもよい。    
【図面の簡単な説明】
【０００７】
【図１】・・・本発明に係るナースコールシステム
【図２】・・・本発明に係るナースコール親機
【図１】
2006180993.tif 000003
【図２】
2006180993.tif 000004
(57)【要約】【課題】難聴者に対応するナースコールシステムの子機において、再生音量を上げて聴取可能とした場合の問題点である周囲に対する騒音を出すことなく、明瞭に音声を聴取させることを課題とする。【解決手段】ナースコールシステムの子機にマイクロホンとスピーカ、更に骨伝動スピーカ組み込み、親機から送られてくる音声はスピーカを介して空気振動として再生され、同時に骨伝動スピーカの伝動体を振動させる。難聴者は伝動体を額など体の一部に当て音声を聞く。【選択図】図２
2006180992.tif 000002
【特許請求の範囲】
【請求項１】
マイクロホンとスピーカと骨伝動スピーカを有することを特徴とするナースコールシステムの子機。    
【請求項２】
前記スピーカと前記骨伝動スピーカは電気的に並列接続されていることを特徴とする請求項１記載のナースコールシステムの子機。
【発明の詳細な説明】
【技術分野】
【０００１】
本発明はナースコールシステムの子機に関する。
【背景技術】
【０００２】
ナースコールシステムは患者が看護師を呼出す為に用いられるが、単に呼び出しを行うだけでなく、看護師と通話可能になされている場合がある。この場合、患者が用いる子機にはスピーカとマイクロホンが組み込まれている。
【特許文献１】特開平09-261354
【発明の開示】
【発明が解決しようとする課題】
【０００３】
ところで、子機を用いる患者には聴覚にハンディキャップを持つ人がいる。難聴者には音量を上げて対処可能であるが、周囲の患者には騒音となってしまう。そこで、周囲の患者に迷惑にならずに、難聴者で有っても通話可能なナースコールシステムの子機を提供することを課題とする。    
【課題を解決するための手段】
【０００４】
ナースコールシステムの子機にマイクロホンとスピーカ、更に骨伝動スピーカ組み込み課題を解決する。    
【発明の効果】
【０００５】
スピーカの他に骨伝動スピーカでも再生するので、難聴者は骨伝動スピーカを介して明瞭に再生音を聞くことができる。  
【発明を実施するための最良の形態】
【０００６】
本発明に係るナースコールシステムは少なくとも、親機、伝送路、子機からなる。  図１のように、伝送路中に、制御機、廊下灯などが用いられることもある。        
【０００７】
本発明に関する子機の構成を図２に示す。マイクロホンとスピーカと呼出スイッチと骨伝動スピーカからなっている。患者の音声はマイクロホンを介して送られる。親機から送られてくる音声はスピーカを介して空気振動として再生され、同時に骨伝動スピーカの伝動体を振動させる。難聴者は伝動体を額など体の一部に当て音声を聞くことができる。    
【図面の簡単な説明】
【０００８】
【図１】・・・本発明に係るナースコールシステム一例
【図２】・・・本発明に係るナースコールシステムの子機の構成例
【図３】・・・本発明に係るナースコールシステムの子機の外観例
【図１】
2006180992.tif 000003
【図２】
2006180992.tif 000004
【図３】
2006180992.tif 000005
(57)【要約】【課題】  携帯電話の乾電池使用の充電器には、乾電池ケースが必要です。その為に充電器その物が大きくなります。【解決手段】  充電器に付随する乾電池ケースを伸縮性にする事で、使用しない時は小さく。使用する時は、乾電池ケースを延ばして、使用できるようにする。【特許請求の範囲】
【請求項１】
本発明は、携帯電話等移動体通信機の充電に関する物である。
【発明の詳細な説明】
【発明の詳細な説明】
【産業上の利用分野】
【０００１】  本発明は、携帯電話等移動体通信機を使用中、内蔵されている二次電池が消耗された時、緊急用として使用する物である。
【背景技術】
【０００２】  携帯電話等の移動体通信機に緊急充電する方法は、多々あります。外出時等には、乾電池を使用して充電する、簡易充電器が主流に成っています。しかし外出時に充電器を忘れる事があり、携帯電話に充電するには、再度充電器を購入する事が必要です。
【発明が解決するための手段】
【０００３】  携帯電話を外出時等に充電するには、乾電池を使用する充電器が必要です。その充電器を忘れないためには、ストラップとして携帯電話に取り付けておく事です。その為には充電器を極力小さくしなければ成りません。充電器には、乾電池が必要であり、乾電池のケースが充電器本体の大部分を占めて大きくなっています。この乾電池ケースを、折りたたみ等極力小さくすれば、ストラップ等に取り付けられます。
【発明の効果】
【０００４】  本発明によれば、移動体通信機の電源が消耗した時に、仮名電池を購入すれば、何時でも何処でも充電できます。
【図面の簡単な説明】
【図１】商品構成図
【図２】伸張時正面図、側面図
【図３】伸縮時正面図、側面図
【符号の説明】
１．コネクタ
２．充電器本体
３．乾電池ケース底
４．乾電池ケーススライド部分
５．ストラップ取り付け部分
６．乾電池蓋
７．ＬＥＤ
８．乾電池
【図１】
2006180680.tif 000002
【図２】
2006180680.tif 000003
【図３】
2006180680.tif 000004
(57)【要約】      （修正有）【課題】浮遊力を発生させるにはリニアモータカーやホバークラフトなど大規模・大型装置が必要であったが、小型化も可能で多用途に応用できる浮遊力発生装置を提供する。【解決手段】回転可能なディスク型リニアモータ−１の外縁の支持部２によって連結された回転体３及び回転体３の上部に設けられた円盤４を備える。回転体３及び円盤４は磁化され、回転体３の上面側と円盤４も下面側を同一極にすることで、磁石の反発力を利用し浮遊力を発生する。【選択図】図１
2006180654.tif 000002
【特許請求の範囲】
【請求項１】
回転可能なディスク型リニアモーターとこのディスク型リニアモーターの外縁と支持部によって連結された磁化された回転体とその上部に設けられた下部の一部が磁化された円盤を設けて、前記回転体の上面側と円盤の下面側を同一極にしたこと特徴とする浮遊力発生装置。
【請求項２】
前記ディスク型リニアモーターは、微細に配置されたエリア磁化分布エリアを高精度に制御できる上部円盤と下部円盤を極小の距離に設けたことを特徴とする請求項１に記載のディスク型リニアモーター装置。
【発明の詳細な説明】
【技術分野】
【０００１】
本発明はモーターを用いて浮力を発生するための装置に関するものである。
【背景技術】
【０００２】
ホバークラフトなど制御されたモーターを動力にしてエアーを送り出し浮上できる。
【０００３】
リニアモーターカーなど磁力によって車体を浮上させ走行させる。
【特許文献１】特許公表平８−５０５５８３
【特許文献２】特許公開平７−１９３９１４
【発明の開示】
【発明が解決しようとする課題】
【０００４】
浮上高さが低く使用場所が制限される。
【課題を解決するための手段】
【０００５】
回転可能なディスク型リニアモーターとこのディスク型リニアモーターの外縁と支持部によって連結された上部が部磁化された回転体とその上部に設けられた下部の一部が磁化された円盤を設けて、前記回転体の上面側と円盤の下面側を同一極にしたことで浮遊力発生できるようにしたものである。
【発明の効果】
【０００６】
物流の高速化、移動空間の多様化を図れるようになった。
【発明を実施するための最良の形態】
【０００７】
本装置を可能なかぎり小さくつくり移動体に取り付ける。
【実施例】
【０００８】
エアーボート
【図面の簡単な説明】
【０００９】
【図１】浮遊力発生装置を示す縦断面図である。
【図２】ディスク型リニアモーターの構成を示す横断面図である。
【符号の説明】
【００１０】
１      ディスク型リニアモーター
２      支持部
３      上部が磁化された回転体
４      下部の一部が磁化された円盤
５      回転軸
６      Ｎ極
７      Ｓ極
８      無極
【図１】
2006180654.tif 000003
【図２】
2006180654.tif 000004
(57)【要約】      （修正有）【課題】蓑虫クリップによる接続を確実にして、試験がスムースに進行できる様にする。【解決手段】端子台１の端子螺子３の座金１１を舌８付とし、蓑虫クリップ７で挟みやすく、しかも、蓑虫クリップが容易に外れない様にした。      【選択図】        図１
2006324158.tif 000002
【特許請求の範囲】
【請求項１】
端子台に於いて、端子螺子の座金を舌付とし、試験装置の
リード線の蓑虫クリップ等で容易に舌を挟み、電気的な接続を
安定して確保し、蓑虫クリップが外れない様にした端子台。
【請求項２】
舌付座金の舌の数が1乃至6個の舌を持つ舌付座金。
【請求項３】
舌付座金の舌の締め付け面に対する角度を、座金の材料の
塑性変形により、自由に変更可能とした舌付座金。
【請求項４】
舌付座金の舌の先端に突起を持ち、クリップの抜けを防止
する構造の舌付座金。
【発明の詳細な説明】
【技術分野】
【０００１】
電気設備の現地試験、保守点検、予防保全の技術分野に適用される。
【背景技術】
【０００２】
高圧受電設備の健全状態を判断し、波及事故を予防する為に定期的に
地絡継電器付高圧気中開閉器等の試験をする事が電気事業法で義務付
けられている。
関連の既出願としては、
【特許文献１】特開２００２−１６４０９９号公報。
【特許文献２】特開２００２−３６９０５号公報。
【特許文献３】特開平７−８５９１４号公報  がある。
【０００３】
地絡継電器付高圧気中開閉器16の試験は、現地では試験用電源として
ＡＣ100Ｖが必要になるが、最も信頼性の高い電灯用変圧器の二次側から
とり使用する事が推奨されている。
【０００４】
図4に示す様に、地絡継電器付高圧気中開閉器16の試験は、具体的
には、地絡保護の機能以外に、短絡事故時の開放ロック機能や
地絡継電器単体の試験も必要であり、電柱17の地上約1.5mの高さに
取付けられた地絡継電器制御部14の端子台1に試験装置19を接続し
て行われる。
【０００５】
試験は、限られた短時間に完了する必要があり、ミスは許されない。
端子台1は、太さ4mmの端子螺子3を10mmピッチ程度で配置した
構造でバリアー2もあり、極めて狭く、しかもメーカーにより構造が異り
端子台1が上下2段に配置したものもあり、地絡継電器制御部14の端子
螺子3と試験装置19のリード線13a間の接続に問題があった。
【０００６】
図3に示す様に、端子台1から出るリード線13bの間隔が狭いので
リード線13a,13b間の短絡事故を防ぐ為に、試験装置19側のリード線13a
の先端は小型の蓑虫クリップ7が使用されている。
【０００７】
蓑虫クリップ7はクリップの殆どが絶縁性のビニールカバー等で覆われ
リード線13a,13b間の短絡事故を防止する為には極めて有効であるが
端子台の端子部分に蓑虫クリップで挟む適当な部分が無かった。
無理に挟んでも僅かの張力が掛かると外れやすく、安定した確実な
試験ができないと言う問題点があった。
【０００８】
【特許文献１】特開２００２−１６４０９９号公報
【特許文献２】特開２００２−  ３６９０５号公報  の場合は、いずれも、メーカー毎に異なる端子台の構造、電線のサイズに  合わせて特殊なクリップを製作する必要があり、汎用性が無く実用的では  ない。
【発明の開示】
【発明が解決しようとする課題】
【０００９】
地絡継電器制御部14等の試験に於いて、活線状態で試験装置19の
リード線13aの先端のクリップ7で地絡継電器制御部14の端子台1の
端子螺子3を確実に挟み、電気的な接続状態を確保し、しかも、試験装置19
のリード線13aに張力が掛かってもクリップ7が容易に外れない様にする。
【００１０】
市販の安い蓑虫クリップ7が使用できる様にする。
【課題を解決するための手段】
【００１１】
図1に示す様に、端子螺子3の座金4を舌8付とし、舌8の部分を
蓑虫クリップ7で挟む様にした。
【発明の効果】
【００１２】
地絡継電器付高圧気中開閉器16の現地定期試験に於いて、安定した確実な
試験ができるので素早く完了できる。  
【発明を実施するための最良の形態】
【００１３】
端子台1の座金11を舌付座金4に交換するだけで、試験中に蓑虫クリップ7が
外れて試験を中断する事なく、安心して試験ができる。
しかも、極めて安いコストで実現できる。
【実施例１】
【００１４】
図  1に示す様に、小型の蓑虫クリップ7で、容易に舌8の部分を挟む事ができる。
図  2-bの様に、舌8を2個にすれば1個の端子に2個の蓑虫クリップ7を
接続できるのでより便利になる。
【００１５】
更に、突起9をつければ、突起9を蓑虫クリップ7で挟んだ時に蓑虫クリップ7の
先端の歯が突起9に引っ掛かるので張力が掛っても容易に外れなくなる。
【００１６】
舌付座金4の舌8の折り曲げ角度θを塑性変形により変更できるので
蓑虫クリップ7で挟み易い角度に合わせ使いやすくできる。
【図面の簡単な説明】
【００１７】
【図１】端子台、舌付座金、蓑虫クリップ
【図２】舌付座金
【図３】従来の端子台
【図４】地絡継電器付柱上気中開閉器及び制御部
【符号の説明】
【００１８】
１端子台
２バリアー
３端子螺子
４舌付座金
５圧着端子
６端子台金具
７蓑虫クリップ
８舌
９突起
１０端子螺子の穴
１１座金
１２絶縁キャップ
１３a試験装置のリード線
１３b地絡継電器制御部のリード線
１４地絡継電器制御部
１５制御ケーブル
１６柱上気中開閉器
１７電柱
１８腕金
１９試験装置
θ  舌の折り曲げ角度
【図１】
2006324158.tif 000003
【図２】
2006324158.tif 000004
【図３】
2006324158.tif 000005
【図４】
2006324158.tif 000006
(57)【要約】      （修正有）【課題】  冷陰極構体改良にかかわり、蛍光ランプの発光能率向上、ならびに寿命向上を目的とする。【解決手段】  本発明はカラー液晶パネル用バックライトに関係するモリブデン（Ｍｏ）金属円板に一辺が三角錐、四角錐で形成するマトリックス状配列した、集合体の冷陰極多素子電極として、電子密度を高め、電特性効果、発光効率、寿命特性を向上することを特徴とする冷極蛍光灯。【選択図】  図−２
2006324223.tif 000002
【特許請求の範囲】
【請求項１】
カラー液晶パネル用冷陰極電極構体において、本発明は、環状電極の先端部に針状に形成する一素子が三角錐、四角錐の集合体をなす多素子電子放射構体を環状電極に内臓設定される。冷陰極電極構体に電気的導線が溶接接合される。本発明の冷陰極構体は、硝子管の双方に封止される。双方の冷陰極構体に電圧を印加する電気的動作において放電状態に入る。放電は、環状放電と本発明の実施による、三角錐、四角錐の先端形状多素子電極放電が同時に開始する。すなわち、管軸に対し、放電部より電子が放射され、管内全域に電子が放射され管内の水銀と封入ガス（ヘリウム、アルゴン等）の原子が衝突により励起され、紫外線（２５３，７ｎｍ波長）を発光し蛍光体を励起させ発行する。本発明は従来の環状放電と多素子放電との電子密度が倍増を制御する為低電力動作効果の実証省エネルギー化のカラー液晶パネルテレビの実現化を可能とすることの特徴を有する冷陰極電極蛍光灯。
【発明の詳細な説明】
【発明の詳細な説明】
【電子、機械、映像の産業上の利用分野】
【０００１】  本発明は、カラー液晶パネルの裏側に設置されている、通称バックライトの冷陰極構体改良にかかわる蛍光ランプの発光能率向上、ならびに電子密度の多い多素子電極蛍光ランプの寿命向上化を目的とした放電効率の良い冷陰極電極構体に関するものである。
【背景技術】
【０００２】  通常、カラー液晶パネルの裏側に設置されたバックライトは、図−１に示す如く、冷陰極構体（１０）の硝子管（１）の内部に塗布された蛍光体物質（赤色、緑色、青色）（２）を形成し、硝子管（１）内には、不活性ガスと微量な水銀（７）を封入する。両端に、環状の電極（３）を設置し、接続線（４）は、硝子管（１）の中に気密封止され、高電圧を印加することにより、放電（５）が開始される。これにより、水銀（７）、電子（８）、封入ガス（６）の原子が衝突により励起され、紫外線（９）２５３．７ｎｍの波長が発生し、この紫外線（９）が蛍光体（２）を励起し、発光色（赤色、緑色、青色の可視光域）に変換され発光する。従来、環状を有する電極（３）はニッケル金属のため、水銀（Ｈｇ）蒸気と電極が衝突し水銀アマルガムが徐々に電極表面に付着して冷陰極蛍光灯の発光効率の低下と、冷陰極蛍光灯の寿命を低下させる欠点があった。平均寿命も約２０，０００時間である。本発明はこれらの欠点を解消し、冷陰極電極多素子形構体を提供する。具体的内容は以下説明する。
【具体的カラー液晶パネル用冷陰極電極構体内容】
【０００３】  図−２によって説明する。本発明は、カラー液晶パネル裏側に設置されるバックライト、即ち蛍光ランプの冷陰極電極構体（２０）の発明に関するものである。硝子管（１１）の内部に蛍光体物質（赤色、緑色、青色）（１２）を塗布形成し、不活性ガス（１６）と、微量水銀（１７）を封入する。両端に環状電極（１３）の先端部に、本発明の実施例において、三角錐、四角錐の針状の集合体を管軸対抗に向けた多素子電極（１３ａ）が同一平面上に設置溶接固定される。接続線（１４）は、環状電極（１３）に溶接され、硝子管（１１）に真空封止され所定位置に固定される。双方の冷陰極電極、即ち環状電極（１３）と、針状＜多素子電極（１３ａ）に高電圧を印加すると、電気的動作手段によって、放電が開始される。放電は、環状放電と多素子電極（１３ａ）の針状全素子放電、即ち管軸に対し平行に電子（１８）が放射される。管軸体積内全域に電子（１８）が放射されるため電子密度が倍増し、硝子管（１１）内の水銀（１７）と不活性ガス（１６）の原子と衝突し励起され、紫外線（１９）の２５３．７ｎｍ波長を受け、蛍光体（１２）を励起し、発光する。また電子密度倍増放射するため励起作用効果が優れているため、従来の高電圧値より低電圧であっても、電子密度は、従来より比較電子密度が多く放電効率を高く設定出来る。即ち従来高電圧電子密度  ＜  低電圧電子密度の関係式が実証され、本発明のカラー液晶パネル用バックライトの輝度発光能率を低下させること無く省エネルギー設計を可能とした。図３は、本発明の四角錐立体（３１）、四角錐集合体（３２）、三角錐立体（４１）、三角錐集合体（４２）が形成、正四角錐、正三角錐の一辺が３μｍｍ〜１０μｍｍの実施例で放電特性の効果を得た。劣化対策としてモリブデン（Ｍｏ）金属円板（１３ｂ）にマトリックス状にプレス機械装置にて型鍛造加工をする。これらの集合体多素子電極（３０）（４０）を特徴とした冷陰極多素子電極を使用した冷陰極蛍光灯。 
【図面の簡単な説明】
【０００４】
【図１】従来のカラー液晶パネル用冷陰極電極蛍光灯。
【図２】本発明のカラー液晶パネル用冷陰極蛍光灯。
【図３】本発明の冷陰極電極多素子電極構体。
【符号の説明】
（１０）、（２０）カラー液晶パネル冷陰極電極構体    （１）、（１１）硝子管    （２）、（１２）蛍光体（赤色、緑色、青色）    （３）、（１３）環状電極            （１３ａ）多素子冷陰極電極構体            （１３ｂ）（Ｍｏ）金属円板    （４）、（１４）接続線    （５）、（１５）放電          （１５ａ）電子放射    （６）、（１６）不活性ガス    （７）、（１７）水銀    （８）、（１８）電子    （９）、（１９）紫外線    （３１）、（４１）三角錐立体、四角錐立体    （３０）、（４０）カラー液晶冷陰極多素子電極
【図−１】
2006324223.tif 000003
【図−２】
2006324223.tif 000004
【図−３】
2006324223.tif 000005
(57)【要約】【課題】  恒星投映機を大型化することなく、投映される恒星像の輝度を高める。【解決手段】  光源から光ファイバー束により導光される集光レンズ１、投映原板２及び投映レンズ３からなる複数個の恒星投映筒により星空を分割して投映する恒星投映機において、南天側及び北天側のそれぞれの恒星投映筒群Ｐ１・・・Ｐ１６に対してそれぞれ複数個の光源Ｌ１、Ｌ２を配し、複数個の光源からの光を光ファイバー束ＬＦ上で一旦束ねて当該光ファイバー束端面に光源の像を結像した後、各恒星投映筒に接続される複数の光ファイバー束ＰＦに分岐する。【選択図】      図２
2006018115.tif 000002
【特許請求の範囲】
【請求項１】
光源から光ファイバー束により導光される集光レンズ、投映原板及び投映レンズからなる複数個の恒星投映筒により星空を分割して投映する恒星投映機において、南天側及び北天側のそれぞれの恒星投映筒群に対してそれぞれ複数個の光源を配し、複数個の光源からの光を光ファイバー束上で一旦束ねて当該光ファイバー束端面に光源の像を結像した後、各恒星投映筒に接続される複数の光ファイバー束に分岐したことを特徴とするプラネタリウムの恒星投映機。
【請求項２】
南天側及び北天側のそれぞれ１６個の恒星投映筒群に対してそれぞれ２個の光源を配した  請求項１記載のプラネタリウムの恒星投映機。
【請求項３】
複数個の光源のそれぞれにフィルターを挿入して相互の組み合わせを調整することにより、投映される恒星像の色温度補正を行う手段とした請求項１又は２記載のプラネタリウムの恒星投映機。
【発明の詳細な説明】
【技術分野】
【０００１】
この発明はプラネタリウムの恒星投映機に関し、より詳細には恒星投映筒の光源に関する。
【背景技術】
【０００２】
プラネタリウムにおいては、全天の恒星を投映するのに、全天を合計３２個の面に分割し、集光レンズ、投映原板及び投映レンズからなる南天側及び北天側の各１６個の恒星投映筒によりそれぞれの分割面を投映している。
【０００３】
一方、光源から光ファイバー束により恒星投映筒に導光することが公知である（公知例としては特許文献１、２）。この場合、南天側及び北天側の各１６個の恒星投映筒に対し、それぞれ１個の光源を配していた。
【特許文献１】特開昭６２−１９１８１８号公報
【特許文献２】特開２００１−１０９０６３号公報
【発明の開示】
【発明が解決しようとする課題】
【０００４】
前記の従来技術においては投映される恒星像の輝度を高めるには光源の出力を高めなくてはならないが、そのために光源が大型化して、恒星投映筒が大型化する問題があった。プラネタリウムの場合、恒星投映筒が大型化するとドームに対しプラネタリウムの大きさの比率が高まり、プラネタリウム本体により観客の視界が蹴られることとなるので、大型化の問題は決して無視できなかった。
【課題を解決するための手段】
【０００５】
この発明は以上の従来技術の問題点に鑑みて創作されたものであり、光源から光ファイバー束により導光される集光レンズ、投映原板及び投映レンズからなる複数個の恒星投映筒により星空を分割して投映する恒星投映筒において、南天側及び北天側のそれぞれの恒星投映筒群に対してそれぞれ複数個の光源を配し、複数個の光源からの光を光ファイバー束上で一旦束ねて当該光ファイバー束端面に光源の像を結像した後、各恒星投映筒に接続される複数の光ファイバー束に分岐したことを特徴とする。
【発明の効果】
【０００６】
この発明によれば、複数個の光源からの光を光ファイバー束上で一旦束ねた後、各恒星投映筒に分岐するので、１個の光源により恒星像の輝度を高める場合に比し各光源自体の大きさは小さくて済み、排熱の熱量も小さくて済む。一方、光ファイバー束は可撓性に富み径も小さいので、恒星投映筒中において光源の収容箇所は恒星投映筒の位置に規制されることなく、任意の箇所に設定できる。従って、光源の数が増加しても、個々の光源自体の大きさを小さくでき、排熱経路も分散できるので、大きな光源を１個配する場合に比して設置箇所の自由度が高く、恒星投映筒内の空間を有効に活用して収容することが可能となるので、１個の光源により恒星像の輝度を高める場合に比し恒星投映筒の大きさの増加が少なくて済む効果を生じる。
【０００７】
又、複数個の光源からの光は一旦一つに束ねられた後に、各恒星投映筒に分岐されるので、プラネタリウムの上映中に仮に一つの光源のランプが切れても残りの光源により上映を継続できる、事故に対する備えが万全となる。
【０００８】
又、複数個の光源のそれぞれにフィルターを挿入して相互の組み合わせを調整することにより、投映される恒星像の色温度補正を容易に行うことも可能となる。
【発明を実施するための最良の形態】
【０００９】
図１はこの発明の恒星投映機の一方の投映球に使用する恒星投映筒群と光源、図２はそれらの光学系を示す図（恒星投映筒群中の一部のみ図示）である。図中符号Ｐ１・・Ｐ１６は恒星投映筒であり、ここでは南天側及び北天側のそれぞれの投映球に対し各１６個が配される。各恒星投映筒Ｐ１・・Ｐ１６の鏡筒には集光レンズ１、投映原板２及び投映レンズ３が収容され、集光レンズ側に光ファイバー経路ＰＦ１・・ＰＦ１６が接続される。光ファイバー経路ＰＦ１・・ＰＦ１６は可撓管ＰＣ内に光ファイバー束ＰＦを収容した構成よりなる。
【００１０】
図中符号Ｌ１、Ｌ２は光源であり、ここでは南天側及び北天側のそれぞれの投映球に対し各１６個が配される恒星投映筒群に対し、それぞれ２個配している。上記の各光源Ｌ１、Ｌ２のハウジング内にはランプ１０及び集光鏡１１が収容され、集光鏡側に光ファイバー経路ＬＦ１、ＬＦ２が接続される。光ファイバー経路ＬＦ１、ＬＦ２はベローズ等の可撓管ＬＣ内に光ファイバー束ＬＦを収容した構成よりなり、他端がコネクタＣにより束ねられ、当該光ファイバー束端面に光源の像を結像した後、前記の各恒星投映筒Ｐ１・・Ｐ１６に接続される複数の光ファイバー束ＰＦに分岐される。
【００１１】
以上の構成よりなる恒星投映筒群と光源は図３に示すように、恒星球Ｄの適宜位置に配される。尚、ここでは黄極を受け持つ恒星投映筒Ｐ１６は恒星球上でなく、その近傍に配している。
【００１２】
図示しないが、以上の恒星投映筒群と光源において、光源のそれぞれにフィルターを挿入して相互の組み合わせを調整することにより、投映される恒星像の色温度補正を行う手段としてもよい。
【図面の簡単な説明】
【００１３】
【図１】この発明の恒星投映機の恒星投映筒群と光源の一部切り欠き平面図。
【図２】同上、光学系を示す構成図。
【図３】この発明の恒星投映機の要部の構成図。
【符号の説明】
【００１４】
Ｐ１・・・Ｐ１６        恒星投映筒
ＰＦ                    光ファイバー
Ｌ１、Ｌ２              光源
ＬＦ                    光ファイバー
【図１】
2006018115.tif 000003
【図２】
2006018115.tif 000004
【図３】
2006018115.tif 000005